(57)【要約】【課題】マルチコピー機等の画像形成装置において、操作パネルの傾斜角度を変更した場合に、何れの傾斜角度であっても、操作者が使い易い操作画面を提供する。【解決手段】画像形成装置は、複写機能を含む複数の機能を有し、操作パネルの操作画面に前記複数の機能を選択する操作ボタンを表示する。前記操作パネルは傾斜角度が変更可能に設けられ、前記操作画面の傾斜角度を検出する傾斜角度検出部２１と、前記検出した傾斜角度に応じて、前記操作画面に表示する操作ボタンの種類を変更する制御部１１とを備える。【選択図】図３
2020095165.tif 000002
【特許請求の範囲】
【請求項１】
複写機能を含む複数の機能を有し、操作パネルの操作画面に前記複数の機能を選択する操作ボタンを表示する画像形成装置であって、
前記操作パネルは、傾斜角度が変更可能に設けられ、
前記操作パネルの傾斜角度を検出する傾斜角度検出部と、
前記検出した傾斜角度に応じて、前記操作画面に表示する操作ボタンの種類を変更する制御部と、を備えた
ことを特徴とする画像形成装置。
【請求項２】
前記制御部は、
前記複数の機能のうち、前記操作画面よりも上方に設けられた機器を使用する機能を選択する操作ボタンの表示の有無を切り換える
ことを特徴とする請求項１に記載の画像形成装置。
【請求項３】
前記操作パネルは、
水平位置と、垂直位置とに、傾斜角度が変更可能である
ことを特徴とする請求項１又は２に記載の画像形成装置。
【請求項４】
前記制御部は、
前記操作パネルが垂直位置にあるとき、前記操作画面よりも上方に設けられた機器を使用する機能を選択する操作ボタンを操作画面に表示しない
ことを特徴とする請求項３に記載の画像形成装置。
【請求項５】
前記操作パネルには、
前記操作パネルが前記水平位置にあるときの前面又は／及び側面に、操作パネルの角度変更が可能であることを案内する第１の案内表示と、
前記操作パネルが前記垂直位置にあるときの後面側に形成された水平面に、操作パネルの角度変更が可能であることを案内する第２の案内表示と、が設けられている
ことを特徴とする請求項３又は４に記載の画像形成装置。
【発明の詳細な説明】
【技術分野】
【０００１】
本発明は画像形成装置、特に、複写（コピー）機能を含む複数の機能を備えたマルチコピー機等の画像形成装置の改良に関する。
【背景技術】
【０００２】
従来、マルチコピー機等の画像形成装置では、複写や写真プリント等の各種機能を選択する操作ボタンをタッチパネル（操作パネル）の操作画面に表示している。
【０００３】
この操作パネルは、操作者が立った状態、又は車椅子等に着座した状態の何れの状態であっても、良好に操作画面のタッチ操作が可能なように、傾斜角度が可変に設けられており、例えば、立った操作者用に操作画面が上方を向くように操作パネルを水平位置に角度変更したり、着座した操作者用に操作画面が前方を向くように垂直位置に角度変更可能である。
【０００４】
しかし、操作パネルが水平位置の状態と垂直位置の状態では、何れも、操作画面の表示内容は、一般的には同一内容である。
【０００５】
従来、操作画面の表示内容を可変にした技術として、特許文献１に記載された技術がある。特許文献１では、コピー機において、操作パネルが水平位置の状態では、コピーの倍率、用紙の大きさ、濃度の設定入力画面を表示し、一方、垂直位置の状態では、着座した操作者が原稿載置台に原稿を適切に載置できるように、操作画面に、「原稿面を上にしてセット」等の文字と画像を表示した原稿載置方法操作画面を表示している。
【先行技術文献】
【特許文献】
【０００６】
【特許文献１】特開２００３−３２３０８４号公報
【発明の概要】
【発明が解決しようとする課題】
【０００７】
一方、コンビニ等に設置されるマルチコピー機等の画像形成装置では、複写やファクス、写真プリント等の複数の機能が備えられている。このため、車椅子等に着座した操作者用に操作パネルが垂直位置に角度変更された状態では、その着座した操作者が利用する可能性が低い機能の操作ボタンをも操作画面に表示していると、操作画面が使い難く、利便性が低下する。
【０００８】
本発明はかかる点に鑑み、その目的は、マルチコピー機等の画像形成装置において、操作パネルの傾斜角度を種々変更した場合に、何れの傾斜角度であっても、操作者が使い易い操作画面を提供することにある。
【課題を解決するための手段】
【０００９】
本発明に係る画像形成装置は、複写機能を含む複数の機能を有し、操作パネルの操作画面に前記複数の機能を選択する操作ボタンを表示する画像形成装置であって、前記操作パネルは、傾斜角度が変更可能に設けられ、前記操作パネルの傾斜角度を検出する傾斜角度検出部と、前記検出した傾斜角度に応じて、前記操作画面に表示する操作ボタンの種類を変更する制御部と、を備えたことを特徴とする。
【００１０】
前記の構成では、傾斜角度検出部が操作パネルの傾斜角度を検出すると、制御部がその検出した傾斜角度に応じて操作画面に表示する操作ボタンの種類を変更し、複数の操作ボタンのうち、どの操作ボタンを操作画面に表示するかを決定する。従って、車椅子等に着座した操作者用に操作画面の傾斜角度が適宜変更されると、その傾斜角度に応じた操作ボタンのみを操作画面に表示できるので、その着座した操作者にとって操作画面が使い易くて、利便性が向上する。
【発明の効果】
【００１１】
本発明によれば、マルチコピー機等の画像形成装置において、操作パネルの傾斜角度を変更した場合にも、操作画面には、常に、操作者が使用可能な操作ボタンのみを表示できるので、操作者が使い易い操作画面を提供することが可能である。
【図面の簡単な説明】
【００１２】
【図１】画像形成装置を含む情報処理システムの全体構成を示す図である。
【図２】画像形成装置の外観を示す斜視図である。
【図３】同画像形成装置の機能ブロックを示す図である。
【図４】同画像形成装置において操作パネルを垂直位置に変更した状態を示す斜視図である。
【図５】同画像形成装置において操作パネルを水平位置に変更した状態で操作者が操作画面を操作する様子を示す側面図である。
【図６】同操作パネルを垂直位置に変更した状態で操作者が操作画面を操作する様子を示す側面図である。
【図７】同操作パネルを水平位置に変更した状態での操作画面の表示の一例を示す上面図である。
【図８】同操作パネルを垂直位置に変更した状態での操作画面の表示の一例を示す正面図である。
【図９】（ａ）は同操作パネルを水平位置に変更した状態を正面側から見た斜視図、同図（ｂ）は同右側面側から見た斜視図である。
【図１０】（ａ）は同操作パネルを垂直位置に変更した状態を上側から見た斜視図、同図（ｂ）は同右側面側から見た斜視図である。
【発明を実施するための形態】
【００１３】
以下、本発明の実施形態を図面に基づいて説明する。
【００１４】
＜実施形態１＞
図１は、本実施形態の画像形成装置を含む情報処理システムの全体概略構成を示す。同図において、画像形成装置１は、ネットワークＮを介して、多数のコンテンツデータを記憶しているコンテンツサーバ１００と双方向通信可能に接続されている。
【００１５】
図２は、画像形成装置１を正面から見た斜視図である。同図において、画像形成装置１は、コンビニ等の各店舗や公共の場所等に設置されているマルチコピー機より成る。この画像形成装置１は、基本的に、複写（コピー）機能、ファクス（ファクシミリ）機能、及び印刷機能等を有するコピー機である。
【００１６】
画像形成装置１は、内部中央部に複写機能を奏する複写機能部２を有する。また、上端部には原稿載置台３が配置され、下部には、複数サイズの印刷用紙が補充されるカセット部４が配置されている。前記原稿載置台３は、水平に配置された平面四角形状の原稿載置面３ａと、この原稿載置面３ａを覆う原稿カバー３ｂとを有する。原稿カバー３ｂは、四角形状であり、その左右に延びる後端部を軸線として前端部が上方に開く構成である。前記原稿載置台３と複写機能部２との間には、複写により得られた画像を印刷した用紙が排出される排紙部５が設けられている。
【００１７】
また、画像形成装置１の上部には、前記原稿載置台３の前方の図中中央部から左側において操作パネル６が配置され、図中右側部にはカードリーダー７が配置されている。前記操作パネル６は、例えばタッチパネルより構成され、操作画面６ａを有する。操作パネル６は、略四角形状の平板よりなり、その上面にタッチ操作可能な操作画面６ａが配置される。操作画面６ａは、操作パネル６と平行な平面形状をしている。その操作画面６ａには、後に詳述するように、画像形成装置１が備える複写機能や写真の印刷、コンテンツの購入等の複数の機能を選択するための複数の操作ボタンが表示される。
【００１８】
更に、前記画像形成装置１は、図中左方に、原稿や写真等の印刷枚数等の使用料の課金や、コンテンツの購入代金を精算する課金装置８を備えている。課金装置８には、上から順に、領収書排出口８ａ、紙幣挿入口８ｂ、コイン返却口８ｃが配置されていると共に、下部には印刷した写真の排出口８ｄ設けられている。更に、上部には、コイン投入口８ｅ及び料金返却指示操作ボタン８ｆが設けられている。
【００１９】
加えて、前記課金装置８の上部の後方側には、メディア挿入部９が設けられている。メディア挿入部９は、ＳＤカード、ＵＳＢメモリ、ＩＣカード、スマートメディア（登録商標）等の携帯型の記憶媒体が挿入される複数の挿入口９ａ、９ｂ、９ｃ等を有する。
【００２０】
図３は、前記画像形成装置１の機能ブロックを示す図である。同図において、画像形成装置１は、制御部１１、表示部１２、記憶部１３、操作入力部１４、印刷部１５、画像読取部１６、記憶媒体読取部１７、データ通信部１８、無線通信部１９、及びファクシミリ通信部２０、及び前記課金装置８を備えている。
【００２１】
前記記憶部１３は、制御部１１により実行されるプログラムのワークエリアとして機能するＲＡＭ、及び各種の制御プログラム、アプリケーションプログラム等が記憶されている。また、記憶部１３には、ダウンロードした音楽や動画等のコンテンツが保存される保存部であるＨＤＤ等を備えている。
【００２２】
制御部１１は、記憶部１３から必要なプログラム等を読み出して実行し、画像形成装置１の全体を制御するものである。
【００２３】
画像読取部１６は、原稿載置台３の原稿載置面３ａに載置された原稿や写真等の画像を読取るものである。印刷部１５は、例えばカセット部４から取り込んだ記録用紙に電子写真方式により画像を印刷して記録するものである。
【００２４】
表示部１２は、制御部１１からの制御信号を受け、その制御信号に応じて前記操作パネル６の操作画面６ａに各種の操作ボタン（後述）を表示する。
【００２５】
操作入力部１４は、前記料金返却指示操作ボタン８ｆ等の複数の操作キーや、前記コイン投入口８ｅに硬貨が投入されたとの情報、及び前記操作パネル６の操作画面６ａに表示された各種の操作ボタンのタッチ情報に応じた入力指示を制御部１１に出力する。
【００２６】
制御部１１は、操作パネル６の操作画面６ａに表示された各種の操作ボタンがタッチ操作された際には、操作入力部１４からの入力指示に応答して、例えば、前記タッチ操作された操作ボタンが「複写」機能に対応する「コピー」ボタンの場合には、画像読取部１６を制御して、原稿載置台３の原稿載置面３ａに載置された原稿や写真等の画像を画像読取部１６により読み取らせ、印刷部１５を制御して、その原稿や写真等の画像を記録用紙に印刷させる等の処理を行う。
【００２７】
記憶媒体読取部１７は、前記メディア挿入部９の挿入口９ａ〜９ｃにＳＤカード等の携帯型の記憶媒体ＭＣが挿入されたとき、その挿入された記憶媒体ＭＣに記憶されている画像データの情報を読み取るものである。
【００２８】
データ通信部１８は、ＬＡＮ、ＷＡＭ、インターネット回線等からなるネットワークＮを通じて、コンテンツサーバ１００との間でデータ通信を行うものである。
【００２９】
無線通信部１９は、例えばＴｒａｎｓｆｅｒＪｅｔ等の近距離高速無線による無線回線ｎ１を通じて利用者の携帯端末２２と通信を行うものである。
【００３０】
ファクシミリ通信部２０は、原稿載置台３の原稿載置面３ａに載置された原稿等が画像読取部１６により読み取られた画像データを公衆回線等からなる回線ｎ２を通じて、他のファクシミリ端末等との間でファクシミリ（ファクス）通信を行うものである。
【００３１】
課金装置８は、紙幣挿入口８ｂやコイン投入口８ｅに入れられた紙幣、硬貨の金銭情報を制御部１１に出力する。
【００３２】
＜画像形成装置が備える各種機能＞
制御部１１は、マルチコピー機として、「複写」（コピー）機能、「ファクス」機能、「スキャン」機能、「写真プリント」機能、「ネットワークプリント」機能、「ＰＤＦプリント」機能、「行政サービス」機能、及び「コンテンツサービス」機能を備える。
【００３３】
前記「複写」機能は、原稿載置台３の原稿載置面３ａに載置された原稿や写真、免許証等を画像読取部１６により読み取り、その読み取った画像データを同一サイズに、又は縮小若しくは拡大して、カラー又は白黒表示で用紙の片面又は両面にコピーし、コピー後の用紙を１枚又は指定された複数毎だけ排紙部５から排出する機能である。
【００３４】
「ファクス」機能は、原稿載置台３の原稿載置面３ａに載置された原稿等を画像読取部１６により読み取り、その読み取った画像データをファクシミリ通信部２０から公衆回線等からなる回線ｎ２を通じて、操作者の自宅や会社又は公共施設等のファクシミリ端末にファクシミリ送信する機能である。
【００３５】
「スキャン」機能は、原稿載置台３の原稿載置面３ａに載置された原稿や写真等を画像読取部１６により読み取り、その読み取った画像データを、メディア挿入部９に挿入されたＵＳＢメモリ等に保存する機能である。
【００３６】
「写真プリント」機能は、メディア挿入部９の挿入口９ａ〜９ｃに挿入されたＳＤカードやＵＳＢメモリ等に保存された写真データ、又は無線回線ｎ１を通じて接続された操作者の携帯端末２２に保存された写真データを記憶媒体読取部１７により読み取り、その読み取った写真データを、複写機能部２により、各種サイズの写真又はポスターに印刷する機能である。
【００３７】
「ネットワークプリント」機能は、操作者が予めパソコンやスマートフォン等の携帯情報端末に保存された文書ファイルや写真ファイルをネットワークＮを介してコンテンツサーバ１００に登録したとき、その登録された文書ファイルや写真ファイルを印刷部１５により記録用紙や写真用紙に印刷する機能である。
【００３８】
「ＰＤＦプリント」機能は、メディア挿入部９の挿入口９ａ〜９ｃに挿入されたＳＤカードやＵＳＢメモリ等に保存されたＰＤＦ（文書）データ、又は無線回線ｎ１を通じて接続された操作者の携帯端末２２に保存されたＰＤＦデータを記憶媒体読取部１７により又は無線通信部１９を介して読み取り、その読み取ったＰＤＦデータを、複写機能部２により、各種サイズの印刷用紙に印刷する機能である。
【００３９】
「行政サービス」機能は、カードリーダー７に個人番号カード又は住基カードがセットされた状態において、ネットワークＮを介して地方公共団体の情報システムと通信し、操作者の望む住民票の写しや印鑑登録証明書等の自治体が発行する各種証明書の文書データを取り込み、この文書データの証明書を印刷部１５により記録用紙に印刷する機能である。
【００４０】
「コンテンツサービス」機能は、コンテンツサーバ１００に保存された写真や楽譜、新聞、地図等の各種コンテンツのうち操作者の望むコンテンツを印刷部１５により記録用紙に印刷する機能である。
【００４１】
＜操作パネル＞
前記操作パネル６は、その傾斜角度の変更が可能である。図２は、操作画面６ａが上方を向くように、操作パネル６を水平位置に位置付けた状態を示している。図４は、操作画面６ａが前方を向くように、操作パネル６を垂直位置に位置付けた状態を示している。
【００４２】
操作パネル６を水平位置に位置付けた状態では、図５に示したように、操作者２５が立った状態にて、視線を下方に移して操作画面６ａが見易い状態であり、また操作画面６ａに手が届き易い。
【００４３】
一方、操作パネル６を垂直位置に位置付けた状態では、図６に示したように、操作画面６ａが前方に向いていて、操作者２６が車椅子等の椅子（同図では車椅子を例示）２７等に着座した状態で眼の高さ位置が低くても、視線を普通に水平に向けるだけで操作画面６ａを見ることができて見易く、また容易に手が操作画面６ａに届く状態である。
【００４４】
前記のように、操作パネル６は、水平位置と垂直位置とに傾斜角度が変更可能である。このため、図３に示したように、前記操作パネル６の傾斜角度を検出する傾斜角度検出部２１が設けられている。
【００４５】
前記傾斜角度検出部２１により検出された操作パネル６の傾斜角度信号は制御部１１に送られる。制御部１１は、受けた操作パネル６の傾斜角度信号に基づいて、操作画面６ａに表示する「コピー」機能、「ファクス」機能等の種類を変更する。
【００４６】
図７及び図８は、前記操作パネル６の操作画面６ａの表示を示す。操作画面６ａには、画像形成装置１がマルチコピー機として備える複数の機能を選択するための操作ボタンが表示される。制御部１１は、操作パネル６が水平位置に位置付けた状態と、垂直位置に位置付けた状態との間で、操作画面６ａに表示する操作ボタンの種類を変更する。
【００４７】
具体的に、図７は、操作パネル６を水平位置に位置付けた状態において、操作画面６ａの表示内容を示す。同図では、「コピー機能」、「ファクス」機能、「スキャン」機能、「写真プリント」機能、「ネットワークプリント」機能、「ＰＤＦプリント」機能、「行政サービス」機能、及び「コンテンツサービス」機能に各々対応した「コピー」ボタン３０、「ファクス」ボタン３１、「写真サービス」ボタン３２（すなわち、「写真コピー機能」と「写真プリント」機能に対応した１つの操作ボタン）、「プリントサービス」ボタン３３（すなわち、「ネットワークプリント」機能と「ＰＤＦプリント」機能に対応した１つの操作ボタン）、「スキャンサービス」ボタン３４、「行政サービス」ボタン３５、及び「コンテンツサービス」ボタン３６が表示されている。
【００４８】
尚、「写真サービス」ボタン３２に代えて、「写真コピー」機能に対応した「写真コピー」ボタンと、「写真プリント」機能に対応した「写真プリント」ボタンとの２つの操作ボタンを表示しても良い。また、「プリントサービス」ボタン３３に代えて、「ネットワークプリント」機能に対応した「ネットワークプリント」ボタンと、「ＰＤＦプリント」機能に対応した「ＰＤＦプリント」ボタンとの２つの操作ボタンを表示しても良い。
【００４９】
すなわち、図７では、操作パネル６を水平位置に位置付けた状態での操作画面６ａには、マルチコピー機として備える全ての機能に対応した操作ボタン３０〜３６が表示される。
【００５０】
一方、図８は、操作パネル６を垂直位置に位置付けた状態において、操作画面６ａの表示内容を示す。同図では、前記図７に示した水平位置にある操作パネル６の操作画面６ａに表示される操作ボタンのうち、「ＰＤＦプリント機能」に対応した「ＰＤＦプリント」ボタン３３ａ、「写真プリント」機能に対応した「写真プリント」ボタン３２ａ、「ネットワークプリント」機能に対応した「ネットワークプリント」ボタン３３ｂ、「コンテンツサービス」ボタン３６、及び「行政サービス」ボタン３５のみが表示される。
【００５１】
すなわち、垂直位置にある操作パネル６の操作画面６ａには、マルチコピー機として備える全ての機能のうち、「コピー」機能、「ファクス」機能、及び「スキャン」機能に各々対応する「コピー」ボタン３０、「ファクス」ボタン３１、及び「スキャンサービス」ボタン３４は表示されない。
【００５２】
ここに、前記操作画面６ａに表示されない３つの操作ボタン３０、３１、３４に対応する「コピー」機能、「ファクス」機能、及び「スキャン」機能は、何れも、その操作ボタンのタッチ操作の前時点又は後時点に、原稿載置台３の原稿載置面３ａに原稿や写真、免許証等を操作者が載置する作業を必要とする機能であって、車椅子２７に着座した操作者２６が操作パネル６の傾斜角度を垂直位置に位置付けた際に、その操作画面６ａの上方に位置する原稿載置台３を利用する機能である。
【００５３】
図９（ａ）は、前記操作パネル６を水平位置に変更した状態を正面側から見た斜視図、同図（ｂ）は同右側面側から見た斜視図である。図９（ａ）から判るように、操作パネル６には、水平位置のとき、その画像形成装置１の前方側に位置する面（前面）に、操作パネル６の角度変更が可能なことを表示する『操作画面の角度変更できます』との文章表記をした案内ステッカー４０が貼付されている。同様に、同図（ｂ）から判るように、操作パネル６の右側面にも、『操作画面の角度変更できます』との文章表記をした案内ステッカー４１が貼付されている。
【００５４】
前記案内ステッカー（第１の案内表示）４０、４１が貼付された操作パネル６の前面及び右側面は、立った状態の操作者２５が視線を下方に移して操作画面６ａを見易いように操作パネル６を水平位置に変更した状態において、その操作者２５が去った後に、車椅子２７に着座した操作者２６が画像形成装置１の前方や右側方に移動してきた際に、その操作者２６が案内ステッカー４０、４１の表記を見易い部位である。
【００５５】
尚、本実施形態では、操作パネル６の左側面も、右側面と同様に、立った状態の操作者２５が操作パネル６を水平位置に変更した状態において、所望の機能を使用して去った後に、着座した操作者２６が画像形成装置１の左側方に移動してきた際に、その操作者２６が見易い部位であるので、この左側面に前記案内ステッカー４０又は４１を貼付しても良いのは勿論である。
【００５６】
図１０（ａ）は、前記操作パネル６を垂直位置に変更した状態を上側から見た斜視図、同図（ｂ）は同右側面側から見た斜視図である。同図（ａ）から判るように、操作パネル６には、その後面側（画像形成装置１の背面側）に、操作パネル６が垂直位置のときに水平面となる平坦部６ｃが形成され、この平坦部６ｃに、前記『操作画面の角度変更できます』との文章表記をした案内ステッカー（第２の案内表示）４２が貼付されている。
【００５７】
前記案内ステッカー４２が貼付された操作パネル６の平坦部６ｃは、車椅子２７に着座した状態の操作者２６が操作画面６ａを見易いように操作パネル６を垂直位置に変更した状態において、その操作者２６が去った後に、立った状態の操作者２５が画像形成装置１の前方に移動してきた際に、その操作者２５が案内ステッカー４２の表記を見易い部位である。一方、図１０（ｂ）から判るように、操作パネル６の右側面に貼付された案内ステッカー４１は、操作パネル６の角度変更に伴い、ほぼ垂直状態となる。
【００５８】
本実施形態では、操作パネル６が水平位置にある状態において、立った操作者２５が視線を下方に移して、操作パネル６の操作画面６ａをタッチ操作する通常の使用形態では、操作画面６ａには、通常通り、マルチコピー機として備える全ての機能に対応する「コピー」、「ファクス」、「写真サービス」、「プリントサービス」、「スキャンサービス」、「行政サービス」、及び「コンテンツサービス」の各操作ボタン３０〜３６が表示される。
【００５９】
従って、立った状態の操作者２５にとっては、原稿載置台３に原稿や写真等を容易に載置できる状況であるので、「コピー」、「ファクス」、「スキャンサービス」の各操作ボタン３０、３１、３４を含め、全ての機能に対応する操作ボタン３０〜３６が操作画面６ａに表示されているので、操作画面６ａの使い勝手が良好なものとなる。
【００６０】
一方、操作パネル６が垂直位置にある状態において、車椅子２７に着座した操作者２６が操作画面６ａをタッチ操作する使用形態では、操作画面６ａには、「ＰＤＦプリント」ボタン３３ａ、「写真プリント」ボタン３２ａ、「ネットワークプリント」ボタン３３ｂ、「コンテンツサービス」ボタン３６、及び「行政サービス」ボタン３５のみが表示される。
【００６１】
従って、車椅子２７に着座した操作者２６にとっては、操作パネル６が垂直位置にあって、操作画面６ａが前方を向いているため、操作画面６ａを見易く且つ手が届き易くて、操作画面６ａの操作性が高くなる。また、着座した操作者２６では、原稿載置台３が操作パネル６の上方に位置していて、その原稿載置台３に原稿等を載置し難い状態である。その関係から、その原稿載置台３への載置を前提とする「コピー」ボタン３０、「ファクス」ボタン３１、及び「スキャンサービス」ボタン３４は操作画面６ａには表示されない。従って、操作画面６ａには、着座した操作者２６が選択可能な「ＰＤＦプリント」、「写真プリント」、「ネットワークプリント」、「コンテンツサービス」、及び「行政サービス」の各操作ボタン３２ａ、３３ａ、３３ｂ、３５、３６のみを表示しているので、操作画面６ａを使い易く、利便性が向上する。
【００６２】
このように、操作パネル６の傾斜角度の変更に応じて、操作パネル６の操作画面６ａに表示する操作ボタンの種類を変更したので、立った状態の操作者２５や着座した状態の操作者２６の双方にとって操作画面６ａの使い勝手の向上を図ることが可能である。
【００６３】
また、本実施形態では、立った状態の操作者２５が操作画面６ａを見易いように操作パネル６を水平位置に変更し、所望の機能を使用してその操作パネル６を水平位置のまま去った後に、車椅子２７に着座した操作者２６が画像形成装置１の前方や右側方に移動してきた際には、操作パネル６は水平位置のままであるものの、水平位置の操作パネル６の前面及び右側面に貼付された案内ステッカー４０、４１は、前記着座した操作者２６にとって見易い位置にある。従って、車椅子２７に着座した操作者２６は、その案内ステッカー４０又は４１を見て、操作パネル６が角度変更可能であることを容易に認識できるので、操作パネル６を垂直位置に角度変更して、その操作画面６ａを見易いように前方に位置付けることが可能である。
【００６４】
同様に、車椅子２７に着座した操作者２６が操作画面６ａを見易いように操作パネル６を垂直位置に変更し、所望の機能を使用して操作パネル６を垂直位置のまま去った後に、立った状態の操作者２５が画像形成装置１の前方に移動してきた際には、操作パネル６は垂直位置のままであるものの、その垂直位置の操作パネル６の平坦部６ｃに貼付された案内ステッカー４２は、前記立った状態の操作者２５が目線を下方に移せば見易い位置にある。従って、立った状態の操作者２５は、その案内ステッカー４２を見て、操作パネル６が角度変更可能であることを容易に認識できるので、操作パネル６を水平位置に角度変更して、容易に操作画面６ａを見易い位置に調整することが可能である。
【００６５】
このように、操作者が操作パネル６を以前の傾斜角度に戻すのを忘れた場合であっても、その次の操作者は、操作パネル６に貼付された案内ステッカー４０〜４２を見て、自己の望む傾斜角度に操作パネル６を角度変更することが可能である。よって、立った状態や着座した状態の何れの操作者であっても、角度調整可能な操作パネル６の利用機会の喪失を防止できて、画像形成装置１の使用頻度を高めることが可能である。
【００６６】
＜実施形態２＞
前記実施形態では、操作パネル６を水平位置と垂直位置との２つの位置に変更可能としたが、本発明はこれに限定されず、連続的に角度調整可能としても良い。この場合には、所定角度以上では垂直位置とみなし、所定角度未満では水平位置とみなして、操作画面６ａに表示する操作ボタンの種類を変更すれば良い。
【００６７】
また、画像形成装置１が備える機能は、実施形態１に示した機能に限らず、他の機能を付加しても良いし、操作画面６ａに表示した操作ボタンも例示である。更に、「操作画面の角度変更できます」との表記は、案内ステッカー４０〜４２に限定されず、他の案内手段を用いても良い。
【００６８】
加えて、操作パネル６が垂直位置にあるとき、操作画面６ａの操作者は車椅子２７に着座した操作者２６であることを考慮して、操作ボタンを操作画面６ａの下部に表示したり、表示する操作ボタンの大きさを拡大したり、照度を高めたしても良い。
【００６９】
本発明は、その精神又は主要な特徴から逸脱することなく、他の種々な形で実施することができる。そのため、上述の実施形態は例示に過ぎず、限定的に解釈してはならない。本発明の特許請求の範囲の均等範囲に属する変形や変更は、全て本発明の範囲内のものである。
【産業上の利用可能性】
【００７０】
本発明は、角度変更可能な操作パネルを備えたマルチコピー機等の画像形成装置に適用して、有用である。
【符号の説明】
【００７１】
１          画像形成装置
３          原稿載置台
６          操作パネル
６ａ        操作画面
１１        制御部
２１        傾斜角度検出部
２５        立った状態の操作者
２６        着座した状態の操作者
３０〜３６
３２ａ、３３ａ、３３ｂ    操作ボタン
４０、４１  案内ステッカー（第１の案内表示）
４２        案内ステッカー（第２の案内表示）
【図１】
2020095165.tif 000003
【図２】
2020095165.tif 000004
【図３】
2020095165.tif 000005
【図４】
2020095165.tif 000006
【図５】
2020095165.tif 000007
【図６】
2020095165.tif 000008
【図７】
2020095165.tif 000009
【図８】
2020095165.tif 000010
【図９】
2020095165.tif 000011
【図１０】
2020095165.tif 000012